(57)【特許請求の範囲】
【請求項１】
筒状のハブと、このハブの回転に応動して進退するデッドボルトとを備えた錠本体と、前記ハブを回転駆動するシリンダ錠およびサムターンが前記錠本体に付設された扉用の施解錠装置において、
前記ハブには、その内周面部所に、筒軸方向に沿って凸状に形成した被駆動部を設け、
前記シリンダ錠には、そのシリンダアウターの外周面部所に、シリンダインナーの回転軸方向に沿って形成した内空の突条部を設けると共に、その先端部側にはシリンダインナーに連結させた駆動部を設け、
前記シリンダ錠は、シリンダ径が大きくなるシリンダアウターの前記突条部を前記ハブの内周面に接近させて前記ハブ内に挿入し、前記ハブの被駆動部を前記突条部以外のシリンダアウター周囲を旋回可能に配設し、
前記駆動部をシリンダインナーに連結させた板状体とし、前記ハブの被駆動部に係合する係合部として形成し、施錠状態のときに前記突状部に対して軸方向で重複するように構成され、
さらに、前記係合部を前記ハブの被駆動部に係合させる構成としたことを特徴とする扉用の施解錠装置。
【請求項２】
請求項１に記載した扉用の施解錠装置において、
前記シリンダ錠については、シリンダアウターの突条部内にサイドバーを配設し、シリンダインナーにはディスクタンブラーを設けたシリンダ構造としたことを特徴とする扉用の施解錠装置。
【請求項３】
請求項１に記載した扉用の施解錠装置において、
前記シリンダ錠については、シリンダアウターの突条部内にピンタンブラーを配設し、シリンダインナーには前記ピンタンブラーと連動する別のピンタンブラーを設けたシリンダ構造としたことを特徴とする扉用の施解錠装置。
【請求項４】
請求項１に記載した扉用の施解錠装置において、
前記シリンダ錠については、シリンダインナーにはディスクタンブラーを設け、シリンダアウターの突条部内に前記ディスクタンブラーと係止可能な係止溝を配設したシリンダ構造としたことを特徴とする扉用の施解錠装置。
【発明の詳細な説明】
【技術分野】
【０００１】
この発明は、扉に設備される施解錠装置に関し、可能なる限り小型化に適する構造としたことが特徴となっている。
【背景技術】
【０００２】
扉のロック機構に連動するシリンダ錠には様々なものがあるが、特に、この種のシリンダ錠には、不正行為による解錠を防ぐために、サイドバーを備えたものがある。
図１1はサイドバーを備えたシリンダ錠の施錠状態を示した断面図、図１２は解錠状態を示した図１１同様の断面図である。
【０００３】
図示するように、このシリンダ錠１０は、正規キーを挿入しない限り各タンブラー１１の凹形部１２が整列しないから、図１１に示すように、タンブラー１１がロータケース１３の係止溝１４に入り込み、またサイドバー１５の後方側部がロータケースのロック孔１６に入り込んでいるため、ロータ１７は回転せず施錠状態となっている。
正規キーを挿入することで、タンブラー１１が係止溝１４から抜け出し、各タンブラー１１の凹形部１２が整列しサイドバー１５の先端部が凹形部１２に突入する。
【０００４】
この結果、図１２に示すように、サイドバー１５がロータケース１３のロック孔１６から抜け出るため、ロータ１７の回転が可能になり、扉のロック機構を解錠することができる。
【０００５】
一方、ドライバーなどの工具を使ってロータ１７を回動させて不正に解錠行為が行われる場合には、サイドバー１５がロータケース１３のロック孔１６に侵入したままであるため、ロータケース１３とロータ１７は非回転に保たれる。
この結果、扉のロック機構がロックされたままとなり、不正解錠行為によるロック解錠が防止される。
【先行技術文献】
【特許文献】
【０００６】
【特許文献１】実公平０８−２３３９号公報
【発明の概要】
【発明が解決しようとする課題】
【０００７】
上記したシリンダ錠１０は、ロータケース１３内にロータ１７の他に、サイドバー１５やサイドバーをタンブラー１１と接する方向に付勢するスプリング、このスプリングの保持部材などを備えるために、ロータケース１３の直径方向が大きくなる錠構造となる。
そのため、図１３に示したように、シリンダ錠１０は扉に設備する錠本体１８のハウジング面上に取り付け、リアロータ１９のみをハブ２０内に配設する構成となる。
【０００８】
なお、リアロータ１９には、係合板２１が設けてあり、この係合板２１がハブ２０の被駆動部２２に係合し、シリンダ錠１０の操作でバブ２０を回転駆動し、扉をロックまたはアンロックするデッドボルトを進退させるようになっている。
したがって、このように構成される扉用の施解錠装置は、錠本体１８のハウジング表面からシリンダ錠１０が大きく突出し、シリンダ錠１０の組付けにはハウジング面または扉面から距離Ｈ０が必要になり、施解錠装置の小型化には好ましくない。
【０００９】
また、図１４に示すように、シリンダ錠１０を部分的にハブ２０内に挿入させるように組付ければ、上記距離Ｈ０が短縮され、シリンダ錠１０の突出高さが少なくなる。
しかし、このように構成すると、ハブ２０に設けられた凸形状の被駆動部２２がシリンダ錠１０の周囲を旋回する構成となるため、ハブ２０の直径Ｄ０が増大することから、大きなハブ２０が必要になる。
この結果、施解錠装置の小型化には好ましくない。
【００１０】
本発明は、上記した実情にかんがみ、ハブの大きさとシリンダ錠の突出高さを増大させないようにして小型化を図った扉用の施解錠装置を提供することを目的とする。
【課題を解決するための手段】
【００１１】
本発明は上記した目的を達成するため、第１の発明として、筒状のハブと、このハブの回転に応動して進退するデッドボルトとを備えた錠本体とを備え、前記ハブを回転駆動するシリンダ錠およびサムターンが前記錠本体に付設された扉用の施解錠装置において、前記ハブには、その内周面部所に、筒軸方向に沿って凸状に形成した被駆動部を設け、前記シリンダ錠には、そのシリンダアウターの外周面部所に、シリンダインナーの回転軸方向に沿って形成した内空の突条部を設けると共に、その先端部側にはシリンダインナーに連結した駆動部を設け、前記シリンダ錠は、シリンダ径が大きくなるシリンダアウターの前記突条部を前記ハブの内周面に接近させて前記ハブ内に挿入し、前記ハブの被駆動部を前記突条部以外のシリンダアウター周囲を旋回可能に配設し、さらに、前記駆動部を前記ハブの被駆動部に係合させる構成としたことを特徴とする扉用の施解錠装置を提案する。
【００１２】
第２の発明としては、上記した第１の発明の扉用の施解錠装置において、前記シリンダ錠については、シリンダアウターの突条部内にサイドバーを配設し、シリンダインナーにはディスクタンブラーを設けたシリンダ構造としたことを特徴とする扉用の施解錠装置を提案する。
【００１３】
第３の発明としては、上記した第１の発明の扉用の施解錠装置において、前記シリンダ錠については、シリンダアウターの突条部内にピンタンブラーを配設し、シリンダインナーには前記ピンタンブラーと連動する別のピンタンブラーを設けたシリンダ構造としたことを特徴とする扉用の施解錠装置を提案する。
【００１４】
第４の発明としては、上記した第１の発明の扉用の施解錠装置において、前記シリンダ錠については、シリンダインナーにはディスクタンブラーを設け、シリンダアウターの突条部内に前記ディスクタンブラーと係止可能な係止溝を配設したシリンダ構造としたことを特徴とする扉用の施解錠装置を提案する。
【００１５】
第５の発明としては、上記した第１の発明の扉用の施解錠装置において、前記駆動部は、シリンダインナーに連結させた板状体を設け、この板状体に前記ハブの被駆動部に係合する係合部として形成したことを特徴とする扉用の施解錠装置を提案する。
【発明の効果】
【００１６】
第１の発明の施解錠装置に備えるシリンダ錠は、シリンダアウターの外周面部所に、シリンダインナーの回転軸方向に沿って形成した突条部が設けてある。
そして、このシリンダ錠は、シリンダ径が大きくなるシリンダアウターの前記突条部をハブ内周面に接近させるようにしてハブ内に挿入して組付けてある。
このように構成したシリンダ錠は、突条部以外のシリンダアウター周囲の周りをハブの被駆動部が旋回可能となる。
【００１７】
したがって、突条部がハブの旋回を阻害することなく、シリンダインナーに連結した駆動部によってハブの被駆動部を駆動してハブを回転させることができる。
この結果、この施解錠装置によれば、シリンダ錠が錠本体のハブ内に部分的に配置された構成となるから、錠本体または扉の表面から突出するシリンダ錠の高さが低くなる。
【００１８】
そして、シリンダ錠は、シリンダアウターの&#64085;条部をハブの内周面に接近させて配設し、ハブの被駆動部が&#64085;条部以外となるシリンダアウター周囲の周りを旋回可能としたことから、ハブはシリンダアウターよりやや大きい直径の筒状体として構成することができ、ハブの小型化に有利となる。
この結果、本発明によれば、小型化に適する施解錠装置となる。
【００１９】
第２の発明は、第１の発明の施解錠装置が備えるシリンダ錠として、シリンダアウターの&#64085;条部内にサイドバーを配設させたシリンダ錠を備えたことが特徴となっている。
このように、サイドバーを備えることによってシリンダ錠の構成部品が多くなる場合でも、ハブの旋回を阻害することのない突条部内に増加したシリンダ錠の構成部品を配置することにより、ハブの径方向の大きさを小型化することができる施解錠装置となる。
【００２０】
第３の発明は、第１の発明の施解錠装置が備えるシリンダ錠として、シリンダアウターの突条部内にピンタンブラーを配設させたシリンダ錠を備えたことが特徴となっている。
このように、ピンタンブラーを備えることによってシリンダ錠の構成部品が多くなる場合でも、ハブの旋回を阻害することのない突条部内に増加したシリンダ錠の構成部品を配置することにより、ハブの径方向の大きさを小型化することができる施解錠装置となる。
【００２１】
第４の発明は、上記した第１の発明の扉用の施解錠装置において、前記シリンダ錠については、シリンダインナーにはディスクタンブラーを設け、シリンダアウターの突条部内に前記ディスクタンブラーと係止可能な係止溝を配設したシリンダ構造の扉用の施解錠装置を提案する。
【００２２】
第５の発明は、第１の発明の施解錠装置が備えるシリンダ錠において、シリンダインナーに連結させた駆動部を板状体として形成することで、ハブの筒軸方向の長さを短縮させ、また、駆動部の生産を容易にしたことに特徴がある。
【図面の簡単な説明】
【００２３】
【図１】本発明の一実施形態である扉用の施解錠装置の扉を省略して示した分解斜視図である。
【図２】上記した施解錠装置に備える外側錠部（操作部）を示し、（Ａ）図は同外側錠部の正面図、（Ｂ）図は同外側錠部の側面図、（Ｃ）図は同外側錠部の背面図である。
【図３】図１に示す施解錠装置において施錠状態を示した施解錠装置の正面図である。
【図４】上記した施解錠装置の一部を断面して示した側面図である。
【図５】図４上のＢ−Ｂ線に沿って切断したシリンダ錠とハブとの結合部分を示した断面図である。
【図６】解錠状態を示した図５同様の断面図である。
【図７】上記した施解錠装置に備えるシリンダ錠の他の例を示したピンタンブラー形のシリンダ錠を本発明に適用した場合の、シリンダ錠とハブとの結合部分（施錠状態）を示した断面図である。
【図８】解錠状態を示した図７同様の断面図である。
【図９】上記した施解錠装置に備えるシリンダ錠のさらに他の例を示したディスクタンブラー形のシリンダ錠を本発明に適用した場合の、シリンダ錠とハブとの結合部分（施錠状態）を示した断面図である。
【図１０】解錠状態を示した図９同様の断面図である。
【図１１】従来例として示すサイドバーを備えたシリンダ錠の施錠状態を示した断面図である。
【図１２】解錠状態を示した図１１同様の断面図である。
【図１３】（Ａ）図は、図１１に示す従来のシリンダ錠を錠本体の表面に組付けた状態を示す説明図、（Ｂ）図は、（Ａ）図の右側面を示した説明図である。
【図１４】（Ａ）図は、図１１に示す従来のシリンダ錠をハブ内に部分的に挿入させるように形状を変えて組付けた状態を示す説明図、（Ｂ）図は（Ａ）図の右側面を示した説明図である。
【発明を実施するための形態】
【００２４】
次に、本発明に係る施解錠装置の一実施形態について図面に沿って説明する。
図１〜図３に示すように、この施解錠装置３０は、扉（図示省略）に装備される錠本体３１と、扉の外側で錠本体３１に取り付けられるシリンダ錠３２と、扉の内側で錠本体３１に取り付けられるサムターン３３とより構成されている。
【００２５】
そして、錠本体３１には、ハウジング３４によって回転可能に支持させた筒状
のハブ３５と、このハブ３５の回転に応動して進退するデッドボルト３６とが設けてある。
なお、ハブ３５の内周面には筒軸方向に沿って形成した凸形部（被駆動部）３５ａが設けてある。
【００２６】
上記したデッドボルト３６は、進出によって扉枠に設けられたストライクの係止孔に突入し、扉をロックして開放を阻止する。
その他、この錠本体３１には、デッドボルト３６を駆動するラック部材などが備えてある。
【００２７】
上記のシリンダ錠３２には、シャッタを備えるキー挿入孔３７が備えてある。
さらに、このシリンダ錠３２は、シリンダアウター３８の外周部所に、シリンダインナー３９の回転軸線方向に沿って細長く形成した&#64085;条部３８ａを設け、この&#64085;条部３８ａ内にサイドバー４０を配設した構成としてある。（図５参照）
つまり、シリンダ錠３２に収容される構成部品のうち径を大きくしてしまう要因となるものを突条部３８ａに対応する位置に集約し、突条部３８ａが形成される領域以外のシリンダアウター３２の径はできるだけ小さく構成する。
【００２８】
サイドバー４０は、図５に示すように周知構成のもので、シリンダインナー３９に設けた複数の板状のタンブラー４１の凹形部４１ａが正規キーの差し込みによって整列することでその凹形部４１ａに突入し、シリンダインナー３９の回転を許容して解錠を可能とするものである。サイドバー４０は図示しないスプリングにより凹形部４１ａに入り込む方向に付勢されており、またスプリングは図示しない保持部材によって保持されており、サイドバー４０、スプリング、保持部材は全て突条部３８ａに対応する位置に集約して配置している。
【００２９】
したがって、不正キーなどを差し込んでも、複数のタンブラー４１の凹形部４１ａが整列しないため、サイドバー４０の後部がシリンダアウター３８の&#64085;条部内孔３８ｂに突入したままとなっていることから、不正キーなどではシリンダインナー３９を回転させることができず、したがって、不正行為による解錠が防止される。
【００３０】
また、上記のシリンダ錠３２は、シリンダインナー３９の連動部３９ａを後方から&#64085;出させ、この連動部３９ａにＥリング４２によって止着させた係合板４３が設けてある。
この係合板４３には上記したハブ３５の凸形部３５ａに係合させ、ハブ３５を回転駆動させる舌片部４３ａが設けてある。
【００３１】
上記したシリンダ錠３２は、サムターン３３と共に止めネジ４４（図１参照）によって錠本体３１に取り付ける。
つまり、図３、図４に示すように、シリンダ錠３２は扉の外側となるようにして錠本体３１に取り付け、サムターン３３は扉の内側となるように取り付けてある。
【００３２】
そして、特に、シリンダ錠３２については、シリンダアウター３８をハブ３５内に挿入させるようにして取り付けてある。
詳しくは、図４および図５から分かるように、シリンダアウター３８は、その突条部３８ａの表面をハブ３５の内周面に接近させるように配設し、ハブ３５の凸形部３５ａの駆動範囲以外の領域に突条部３８ａを配置することによって、ハブ３５の凸形部３５ａが突条部３８ａ以外のシリンダアウター周囲部３８ｃの領域で旋回可能としてある。
つまり、ハブ３５の凸形部３５ａは、シリンダアウター３８の外周のうち、突条部３８ａよりも径が小さく形成された領域を旋回する。
【００３３】
すなわち、シリンダ錠３２のキー操作にしたがってシリンダインナー３９を回転させれば、その連動部３９ａに設けた係合板４３が回転してハブ３５の凸形部３５ａを応動し、図５から図６に示す状態を移行する。
【００３４】
したがって、係合板４３によって回転駆動された凸形部３５ａがシリンダアウター３８の周囲部３８ｃの周りを旋回するから、ハブ３５が回転してデッドボルト３６が進退する。
なお、キーによりシリンダインター３９を右回転させ、ハブ３５を図６の状態に回転して解錠させた後は、キーを戻し回転させ、シリンダインナー３９を図５に示す状態に戻し回転させてから、キーを引き出す。
【００３５】
上記の如く、本実施形態では、シリンダ錠３２のシリンダアウター３８をハブ３５内に配設させる構成としたことから、錠本体３１または扉表面からのシリンダ錠３２の高さＨ１を低くすることができる一方、ハブ３５の凸形部３５ａが&#64085;条部３８ａ以外のシリンダアウター３８の周囲部３８ｃの周りを旋回可能とし、ハブ３５の凸形部３５ａとシリンダアウター３８の&#64085;条部３８ａとが干渉しない構成としたので、ハブ３５の直径Ｄ１が縮小するように形成することができる。
この結果、小型化に有利となる扉用の施解錠装置の提供が可能になる。
【００３６】
図７は、シリンダ錠３２に変えてピンタンブラー型のシリンダ錠４５を本発明に適用した場合の、シリンダ錠とハブとの結合部分（施錠状態）を示した断面図、図８は解錠状態を示した図７同様の断面図である。
上記のサイドバー４０を備えたシリンダ錠３２から、ピンタンブラー４６を備えたシリンダ錠４５に変更した以外の構成は上記実施形態と同様であり、重複する部分の説明は省略する。
【００３７】
このシリンダ錠４５は、シリンダアウター４７に&#64085;条部４７ａを形成し、この&#64085;条部４７ａ内に多数のピンタンブラー４６を配設するように構成する。
上記した実施形態と同様に、本実施形態においても、シリンダ錠４５に収容される構成部品のうち径を大きくしてしまう要因となるものを突条部４７ａに対応する位置に集約し、突条部４７ａが形成される領域以外のシリンダアウター４７の径はできるだけ小さく構成している。
【００３８】
ピンタンブラー４６はスプリングによりキー挿入孔に入り込む方向に付勢されており、また、スプリングは保持部材によって保持されており、ピンタンブラー４６、スプリング、保持部材は全て突条部４７ａに対応する位置に集約して配置している。
【００３９】
図７（施錠状態）および図８（解錠状態）から分かるように、シリンダアウター４７は、その突条部４７ａの表面をハブ３５の内周面に接近させるように配設し、ハブ３５の凸形部３５ａの駆動範囲以外の領域に突条部４７ａを配置することによって、ハブ３５の凸形部３５ａが突条部４７ａ以外のシリンダアウター周囲部の領域で旋回可能にしてある。
【００４０】
つまり、ハブ３５の凸形部３５ａは、シリンダアウター４７の外周のうち、突条部４７ａよりも径が小さく形成された領域を旋回する。
すなわち、シリンダ錠４５のキー操作にしたがってシリンダインナー４８を回転させれば、その連動部４８ａに設けた係合板４３が回転してハブ３５の凸形部３５ａを応動し、図７から図８に示す状態に移行する。
【００４１】
したがって、係合板４３によって回転駆動された凸形部３５ａがシリンダアウター４７の周囲部４７ｃの周りを旋回するから、ハブ３５が回転してデッドボルト３６が進退する。
このように、錠本体３１または扉表面からのシリンダ錠４５の高さＨ１を低くすることができる一方、ハブ３５の直径Ｄ１を縮小することができ、小型化に有利となる扉用の施解錠装置の提供が可能になる点は、上記実施形態と同様である。
なお、図示する符号４８ａはキー挿入孔、４８ｂはシリンダインナー４８の連動部に設けた係合板である。
【００４２】
図９は、第１実施形態（図１〜図3に示す施解錠装置）に記載したシリンダ錠３２とは異なるディスクタンブラー型のシリンダ錠を本発明に適用した場合のシリンダ錠とハブとの結合部分（施錠状態）を示した断面図、図１０は解錠状態を示した図９同様の断面図である。
第１実施形態のサイドバー４０を備えたシリンダ錠３２から、サイドバー４０に関わる構成を備えない点以外の構成は上記実施形態と同様であり、重複する部分の説明は省略する。
【００４３】
このシリンダ錠４９は、シリンダアウター５０に&#64085;条部５０ａを形成し、この&#64085;条部５０ａ内に多数のディスクタンブラーを配設するように構成する。
本実施形態においては、径を大きくしてしまう要因は、ディスクタンブラーがシリンダインナー５１から突出した際に係止するシリンダアウター５０に形成された係止溝５３であるため、係止溝５３に対応する位置となるシリンダアウター５０の外周に突条部５０ａを形成し、突条部５０ａが形成される領域以外のシリンダアウター５０の径はできるだけ小さく構成している。
【００４４】
シリンダ錠４９のキー操作にしたがってシリンダインナー５１を回転させれば、その連動部に設けた係合板５２が回転してハブ３５の凸形部３５ａを応動し、図９から図１０に示す状態に移行する。
したがって、本実施形態においても、錠本体３１または扉表面からのシリンダ錠４９の高さＨ１を低くし、また、サイドバーを備えない分、第１実施形態よりもハブの直径Ｄ１をさらに縮小することができ、小型化に有利となる扉用の施解錠装置の提供が可能になる。
【産業上の利用可能性】
【００４５】
扉用の施解錠装置や車両用ドアの施解錠装置として適用することができる。
【符号の説明】
【００４６】
３０  施解錠装置
３１  錠本体
３２  シリンダ錠
３４  ハウジング
３５  ハブ
３５ａ  凸形部（被駆動部）
３６  デッドボルト
３８  シリンダアウター
３８ａ  &#64085;条部
３８ｂ  &#64085;条部内孔
３８ｃ  シリンダアウターの周囲部
３９  シリンダインナー
３９ａ  連動部
４０  サイドバー
４１  タンブラー
４１ａ  凹形部
４３  係合板
【図１】
0006786249.tif 000002
【図２】
0006786249.tif 000003
【図３】
0006786249.tif 000004
【図４】
0006786249.tif 000005
【図５】
0006786249.tif 000006
【図６】
0006786249.tif 000007
【図７】
0006786249.tif 000008
【図８】
0006786249.tif 000009
【図９】
0006786249.tif 000010
【図１０】
0006786249.tif 000011
【図１１】
0006786249.tif 000012
【図１２】
0006786249.tif 000013
【図１３】
0006786249.tif 000014
【図１４】
0006786249.tif 000015